(57)【要約】      （修正有）【課題】高架橋等の高欄の上端に着脱自在に挟み込む吊足場において、簡単かつ迅速に設置および撤去ができ、しかも、安定した状態で荷重を支えることができる吊足場を提供する。【解決手段】高欄３上端に固定する挟持部２９を端部に形成し、かつ、該高欄３上に高架橋１等の外側に向けて水平に架設する上横枠７と、該上横枠７の先端部側に連結される垂下枠８と、該垂下枠８の下部から突出する下横枠９とにより側面視略コ字状のフレーム材５を構成し、該垂下枠８の途中から壁当て支承梁材１８，１９をその先端部を高欄３側に向けて突設し、側面視略コ字状のフレーム材５を前記高欄３の外側垂直側壁の３ａの連続方向に沿って所定ピッチで並置させ、かつ、横地・手摺材６ａ，６ｂ，６ｃで一体的に連結し、前記下横枠９上にアルミ足場板１７を架け渡し、前記挟持部２９でおこなう挟持に対応して壁当て支承梁材１８，１９で高欄３側からの反力支持を得る。【選択図】図１
2010059632.tif 000002
【特許請求の範囲】
【請求項１】
側面略コ字状のフレーム材は、高架橋等の高欄の上端を下側から挿入し、該高欄の上端部を高欄の外側面側へのネジの押圧で挟み込むことで高欄上端に固定する挟持部を端部に形成し、かつ、高欄上で高架橋等の外側方向に向けて水平に架設する上横枠と、
この上横枠の先端部側に連結される垂下枠と、
この垂下枠の下部から高架橋等の方向に水平に突出する下横枠と
により構成され、
前記上横枠は前記垂下枠よりも太径の強度部材でハンガータイプのものとして前記垂下枠以下を吊り支承し、
前記上横枠の先端部と垂下枠との結合コーナーに対してトラス枠を構成する補強フレームを架設して吊り補強部を形成し、
さらに垂下枠の途中から壁当て支承梁材をその先端部を高欄外側面に向けて突設し、
かかる側面略コ字状のフレーム材を高欄の上端を前記挟持部で挟み込むことで高欄の外側垂直側壁の連続方向に沿って所定ピッチで並置させ、かつ、横地材で一体的に連結し、前記下横枠上に足場板架け渡し、
前記挟持部で行う挟持に対応して壁当て支承梁材で高欄外側面からの支持反力を得ることを特徴とした吊足場。
【請求項２】
垂下枠の中段部位に足場板架け渡しブラケットを形成し、垂下枠の途中からの壁当て支承梁材はこの足場板架け渡しブラケットを挟んで上下位置に突設し、足場板架け渡しブラケットに足場板を架け渡す請求項１記載の吊足場。
【請求項３】
横地材は、手摺材を兼ねるように、足場板から所定の高さに取り付ける請求項１または請求項２記載の吊足場。
【請求項４】
挟持部は、上横枠の端部の垂下片と上横枠の先端部側の補強部の外方を囲う枠体の垂直片部とで構成し、この垂直片部に座板ネジ止めの締め付けネジを設けてなる請求項１ないし請求項３のいずれかに記載の吊足場。
【請求項５】
挟持部内側に断面Ｌ字形のプレート板を高欄の内側面と上面を覆うように配設した請求項４に記載の吊足場。
【発明の詳細な説明】
【技術分野】
【０００１】
本発明は、鉄道や道路の高架橋の補修や点検等の作業に使用される吊り足場に関するものである。
【背景技術】
【０００２】
近年、永久構造物として扱われてきた鉄筋コンクリート造の鉄道又は道路等の高架橋は、コンクリートの中性化等を原因として該コンクリートの剥離や落下等の劣化損傷が生じている。そのため、上記損傷後或いは当該損傷が生じる前にリニューアル工事が必要となっている。上記鉄道や道路等の高架橋における工事の内、跳ね出し部分（以下、地覆部という。）をリニューアルするには製品のビティー枠を地上部分から種み重ねて足場を形成する枠組足場による仮設足場を採用している。
【０００３】
また、地上部分が比較的水平で、短期間に作業箇所が移動する場合は、タワー状の足場の下部に車輪が付いている足場であるローリング足場が使用されることもある。
【０００４】
更に、地上部分に比較的スペースが存在する場合には、高所作業用のゴンドラが搭載された足場が使用され、車輌足場となっているので移動させることが可能である。
【０００５】
前記枠組足場、ローリング足場及び車輌移動足場等は、地上部分に空所がある場合には採用できるが、地覆部の先端部に住宅や店舗が近接している場合或いは高架橋下が店舗、駐車場又は駐輪場等として利用されている場合には、これらの仮設足場は設置或いは移動に不可能なことが生じる。
【０００６】
また、高架橋下において足場が組めたり、移動するスペースが存在したとしても、車輌や人の通行量が多い場合には、仮設足場を占有する時間に大幅な制限を受けることが多く、桁下の交通を阻害することになる。
【０００７】
そこで吊り足場が使用されている。この吊り足場として下記特許文献１に示すような設置に固定用重りを使用するもの、高欄の先端部を挟持するための挟持部を有するもの、また、下記特許文献２、特許文献３のように台車を備えたゴンドラタイプの吊下げ式のものなどがある。
【特許文献１】特開２００５−１７１７０３号公報
【特許文献２】特開２００２−１３８６５９号公報
【特許文献３】特開平１０−１８２３０
【０００８】
図４、図５に示す吊り足場１０１は、特許文献１の発明内容であり、つなぎ枠１１５により所定ピッチで一体的に連結していた複数のメインフレーム１０２によるものであり、このメインフレーム１０２は縦枠１０６と上横枠１０７と先端部に立上枠１０９を有する下横枠１０８とによって略コ字状に形成したものである。
【０００９】
メインフレーム１０２の上横枠１０７先端部側に垂下枠１１１を連結し、この垂下枠１１１の下端部から水平に突出する水平台枠１１２とによって略Ｌ字状に形成したサブフレーム１０３、及び前記メインフレーム１０２の縦枠１０６に取り付けられる壁当て材１１３を夫々複数ずつ設け、前記複数のサブフレーム１０３を高架橋等の高欄１０５の内側の水平部１２２上に所定ピッチに並置した状態で各サブフレーム１０３の水平台枠１１２に亘って所定重量のサブフレーム固定用重りＧを載荷することによりサブフレーム１０３を前記水平部上に固定する。
【００１０】
各メインフレーム１０２を前記高欄１０５の外側から各サブフレーム１０３に連結し、各メインフレーム１０２の下横枠１０８に亘って足場板１１９を横架し、前記立上枠１０９に取り付けた壁当て材１１３の先端部を高架橋等の垂直壁面１０４ａに当接させてなる。
【００１１】
この壁当て材１１３は、例えば丸形鋼管（丸パイプ）によって形成されるもので、一端部を立上枠１０９に取り付け、他端部には高架橋の梁１０４の横端面１０４ａ（垂直壁面）に対し面接触する当接片１１３ａが設けてあって、この当接片１１３ａを梁１０４の横端面１０４ａに当接させるようになっている。
【００１２】
また、メインフレーム１０２の縦枠１０６と上横枠１０７との間、及び縦枠１０６と下横枠１０８との間には、補強枠１３２，１３３が取り付けられている。
【００１３】
図５に示すように、メインフレーム１０２の連結体Ｍには隣合う縦枠１０６，１０６間に、この連結体Ｍを補強するためのブレース（筋交い）１１６がＸ字状に架け渡され、また各下横枠１０８側にある立上枠１０９の上端部に亘って安全用の手摺り枠１１７が取り付けられる。また、各メインフレーム１０２の縦枠１０６の中段部位には足場板架け渡しブラケット１１８が取り付けられ、これに足場板１２０を架け渡してなる。
【００１４】
この中段用足場板１２０には下段の足場板１１９との間に梯子１２１を取り付ける。
【００１５】
図６に示す吊り足場５４は、特許文献１で従来技術として示されたものであり、５１は高架橋の梁、５２は床版、５３は高欄である。
【００１６】
吊り足場５４は、複数の鋼管を所要間隔おきに縦に並べて縦枠５５とし、複数の手摺りパイプ５６を上下に平行にして水平に縦枠５５に固定し、各縦枠５５の上部において縦枠５５に直角に上部横枠５７を設け、上部横枠５７の先端部には、２本のパイプ５８，５８によって、高欄５３の先端部を挟持するための挟持部を形成し、各縦枠５５の下端部において、下部横枠５９を設け、その先端部で立ち上がる立上枠６０を取り付けてなるものである。
【００１７】
この吊り足場５４の使用にあたっては、挟持部を形成するパイプ５８，５８で高欄５３の上端部を挟持し、床版５２の下面等に孔をあけて挿着したリング付きアンカー６１に、チェーン６２の一端を取り付け、その他端を下部横枠５９の両端部又は縦枠５５及び立上枠６０の下端部に固定し、このチェーン６２で下部横枠５９又は縦枠５５及び立上枠６０を吊り、側面視コ字形で、コ字形の一方の開口縁部に鉤部６３を設けた吊り金具６４を、鉤部６３を高欄５３の外側に向けた状態で高欄５３の先端部に被せ、鉤部６３にチェーン６２の一端部を係止し、他端部を縦枠５５の下端部又は下部横枠５９の一端部に係止し、このチェーン６２で縦枠５５又は下部横枠５９を吊る。
【００１８】
また、縦枠５５の下端部と立上枠６０の下端部に設けたパイプ５６，５６に複数のパイプ６５を横架し、その上に足場板６６を配設し、作業者が歩行出来るようにしたものである。
【発明の開示】
【発明が解決しようとする課題】
【００１９】
前記特許文献１の吊り足場は、サブフレームの水平台枠上にサブフレーム固定用重りＧを載荷するものであり、高欄の内側のケーブル敷設用側溝から敷石部に亘る水平部上にスペースを確保しなければならない。
【００２０】
また、サブフレーム固定用重りは９個のＨ形鋼材片と１３個の砂嚢によって構成するが、十分な載荷荷重を確保するには重りピース数が多く、搬入、搬出、揚重等を含めて取り扱いが面倒である。さらに、見た目では、重りによる荷重支持は不安を惹起し、また、重りの載置状態の不備なども心配である。
【００２１】
特許文献２、特許文献３のように台車によるものでは、レールの敷設など装置としては大掛かりにならざるを得ない。
【００２２】
図６に示す吊り足場は、挟持部を形成するパイプで高欄の上端部を挟持するものの、吊り荷重は主として床版の下面等に孔をあけて挿着したリング付きアンカーに一端を取り付けたチェーンにその支承を頼るものであり、張っているチェーンが作業者の通行の邪魔になるおそれもある。
【００２３】
本発明の目的は前記従来例の不都合を解消し、高架橋等の高欄の上端を下側から挿入して、高欄の上端部を着脱自在に挟み込むことで、簡単かつ迅速に設置および撤去ができ、しかも、力のかかる部分の強度を十分に計算して安定した状態で荷重を支えることができる吊足場を提供することにある。
【課題を解決するための手段】
【００２４】
請求項１記載の本発明は前記目的を達成するため、側面略コ字状のフレーム材は、高架橋等の高欄の上端を下側から挿入し、該高欄の上端部を高欄の外側面側へのネジの押圧で挟み込むことで高欄上端に固定する挟持部を端部に形成し、かつ、高欄上で高架橋等の外側方向に向けて水平に架設する上横枠と、この上横枠の先端部側に連結される垂下枠と、この垂下枠の下部から高架橋等の方向に水平に突出する下横枠とにより構成され、前記上横枠は前記垂下枠よりも太径の強度部材でハンガータイプのものとして前記垂下枠以下を吊り支承し、前記上横枠の先端部と垂下枠との結合コーナーに対してトラス枠を構成する補強フレームを架設して吊り補強部を形成し、さらに垂下枠の途中から壁当て支承梁材をその先端部を高欄外側面に向けて突設し、かかる側面略コ字状のフレーム材を高欄の上端を前記挟持部で挟み込むことで高欄の外側垂直側壁の連続方向に沿って所定ピッチで並置させ、かつ、横地材で一体的に連結し、前記下横枠上に足場板架け渡し、前記挟持部で行う挟持に対応して壁当て支承梁材で高欄外側面からの支持反力を得ることを要旨とするものである。
【００２５】
請求項１記載の本発明によれば、側面略コ字状のフレーム材を前記高欄の外側垂直側壁の連続方向に沿って所定ピッチで並置させ、かつ、横地材で一体的に連結し、前記下横枠上に足場板架け渡して吊足場を構成するものであるが、この側面略コ字状のフレーム材は高架橋等の高欄の上端を下側から挿入し、該高欄の上端部を挟み込むことで高欄上端に固定することで、場所を取らず、また、孔をあけてアンカーを取り付けるようなものとは異なり、高欄を傷を付けて弱化させるおそれもなく、簡単かつ迅速に設置および撤去ができる。
【００２６】
上横枠は前記垂下枠よりも太径の強度部材でハンガータイプのものとしたのでこの上横枠で前記垂下枠以下を吊り支承することになる。
【００２７】
さらに、垂下枠の途中から壁当て支承梁材をその先端部を高欄外側面に向けて突設することで、この壁当て支承梁材を、回転阻止部材としてだけでなく、高欄外側面からの支持反力を得る荷重受け部材として用いるものである。
【００２８】
この壁当て支承梁材の高欄外側面への当接部が、高欄上端の挟持部の高欄の外側面側へのネジの押圧箇所と同じ高欄の外側面での上下関係をもって並ぶことは重要である。これより吊り足場の荷重支持を高欄の外側面という同一垂直面で得ることができ、それよりも下方の部分を安定して支えることができる。
【００２９】
請求項２記載の本発明は、垂下枠の中段部位に足場板架け渡しブラケットを形成し、垂下枠の途中からの壁当て支承梁材はこの足場板架け渡しブラケットを挟んで上下位置に突設し、足場板架け渡しブラケットに足場板を架け渡すことを要旨とするものである。
【００３０】
請求項２記載の本発明によれば、垂下枠の中段部位に足場板架け渡しブラケットを形成し、足場板架け渡しブラケットに足場板を架け渡すことで、本来の作業床（通路）の上部位置にも作業床（通路）を設け、上下２段とすることがでる。
【００３１】
さらに、これに対応して、壁当て支承梁材はこの足場板架け渡しブラケットを挟んで上下位置に突設することで、安定性を向上させることができる。
【００３２】
請求項３記載の本発明は、横地材は、手摺材を兼ねるように、足場板から所定の高さに取り付けることを要旨とするものである。
【００３３】
請求項３記載の本発明によれば、横地材は、手摺材を兼ねるものとすることで、別途手摺材を設けないですむ。
【００３４】
請求項４記載の本発明は、挟持部は、上横枠の端部の垂下片と上横枠の先端部側の補強部の外方を囲う枠体の垂直片部とで構成し、この垂直片部に座板ネジ止めの締め付けネジを設けてなることを要旨とするものである。
【００３５】
請求項４記載の本発明によれば、挟持部が高欄の上端部を挟み込むのに、高欄の外側面側へのネジの押圧をもって行うことができ、これにより壁当て支承梁材の高欄外側面への当接部が、同じ高欄の外側面での上下関係をもって並ぶことを確実にすることができる。また、挟持部はその一方を上横枠の先端部側の補強部の外方を囲う枠体の垂直片部とすることで、強度のあるものとすることができる。
【００３６】
請求項５記載の本発明は、挟持部内側に断面Ｌ字形のプレート板を高欄の内側面と上面を覆うように配設したことを要旨とするものである。
【００３７】
請求項５記載の本発明によれば、プレート板は補強材として作用し、高欄の上端部との接合箇所で上横枠が変形するのを防止し、また、保護材として作用して高欄側が傷付くのも防止できる。
【発明の効果】
【００３８】
以上述べたように本発明の吊足場は、高架橋等の高欄の上端を下側から挿入して、高欄の上端部を着脱自在に挟み込むことで、簡単かつ迅速に設置および撤去ができ、しかも、力のかかる部分の強度を十分に計算して安定した状態で荷重を支えることができるものである。
【発明を実施するための最良の形態】
【００３９】
以下、図面について本発明の実施の形態を詳細に説明する。図１は本発明の吊足場の鉄道高架橋に仮設された状態の側面図、図２は同上正面図である。
【００４０】
先に鉄道高架橋１を説明すると、床版２の端部から高欄３が垂直壁として厚みをもって立設される。図示の例では、高欄３は床版２と同じ鉄筋コンクリートによるものであり、ある程度の厚みを有し、また、外側面は外側垂直側壁３ａとなっている。
【００４１】
本発明の吊足場４は、吊足場４の一部を構成する側面視略コ字状のフレーム５を前記高欄３の外側垂直側壁３ａの連続方向に沿って所定ピッチ（一例として１３００mmピッチ）で並置させ、かつ、横地・手摺材６ａ，６ｂ，６ｃで一体的に連結して組み立てる。
【００４２】
側面視略コ字状のフレーム５は、アルミニウム合金製で、角パイプによる横Ｌ字形の上横枠７と、この上横枠の先端部側に連結される垂下枠８と垂下枠８の下部から高架橋１等の方向に水平に突出する下横枠９により構成され、上横枠７の端部には垂下片７ａが下向き垂直に設けられて全体として横Ｌ字形となっている。また、下横枠９の先端部には垂直立ち上がる立上枠９ａが設けられる。
【００４３】
前記上横枠７は、端部に、高架橋１等の高欄３の上端を下側から挿入し、該高欄３の上端部を高欄３の外側垂直側壁３ａ側へのネジの押圧で挟み込むことで高欄３上端に固定する挟持部２９を端部に形成した。上横枠７は、この挟持部２９により高欄３上で高架橋１等の外側方向に向けて水平に架設される。
【００４４】
前記上横枠７の先端部と垂下枠８との結合コーナーに対して斜め材としての補強フレーム１０を上横枠７と垂下枠８とに架設してトラス枠を構成する吊り補強部１１を形成した。
【００４５】
前記挟持部２９は、前記垂下片７ａに対応する垂直片部１２で構成し、該垂直片部１２には座板ネジ止めの締め付けネジ１４を上下２段に設けてなる。また、この垂直片部１２は前記上横枠７の先端部側の吊し補強部１１の外方を囲う枠体１３の１部として構成される。枠体１３は上横枠７と垂下枠８及びこの垂直片部１２とさらに、この垂直片部１２に角度をもって連結するフレームとで構成される。
【００４６】
前記挟持部２９内側に高欄３の内側面と上面を覆うように断面Ｌ字形のプレート板１５を配設した。このプレート板１５は上横枠７に取り付けるが、その上横枠７の径と同じでよい。
【００４７】
垂下枠８の中段部位に高架橋１側に向けて足場板架け渡しブラケット１６を形成し、この足場板架け渡しブラケット１６にアルミ足場板１７を２枚並べて架け渡す。この足場板架け渡しブラケット１６は垂下枠８から水平に突出する支持梁材１６ａと斜材による補強枠１６ｂでトラスに形成するもので、支持梁材１６ａの先端にはアルミ足場板１７の脱落防止として立上片１６ｃを設けた。
【００４８】
この足場板架け渡しブラケット１６を挟んで上下位置に、垂下枠８の途中から壁当て支承梁材１８，１９をその先端部を高欄３の外側垂直側壁３ａ側に向けて突設した。壁当て支承梁材１８，１９の先端には調整用として座板付き止ネジ２０を設けた。
【００４９】
先端部には垂直立ち上がる立上枠９ａを有する下横枠９はその上にアルミ足場板１７を４枚並べて架け渡すことができるだけの長さであり、この下横枠９に対して垂下枠８は下端が下方へ突出し、この突出片２１ａと斜材による補強片２１ｂとでトラス枠による補強部２１を形成した。
【００５０】
前記上横枠７を初めとして、垂下枠８、下横枠９、足場板架け渡しブラケット１６、壁当て支承梁材１８，１９等はいずれもアルミニウム合金（Ａ６０６３−Ｔ５）の角パイプによるものであるが、上横枠７は垂下枠８等よりも太径の強度部材でハンガータイプのものとして前記垂下枠８以下を吊り支承するものとする。一例として上横枠７は１００×５０、垂下枠８等は１００×４０である。
【００５１】
前記横地・手摺材６ａ，６ｂ，６ｃにはＦＲＰの管材を使用し、横地・手摺材６ａ、６ｂはキャッチクランプ２２で、横地・手摺材６ｃは直交ランプ２３で固定した。横地・手摺材６ａの高さ位置はアルミ足場板１７を敷設する足場板架け渡しブラケット１６より８０ｃｍ、横地・手摺材６ｂはアルミ足場板１７を敷設する下横枠９より８０ｃｍ、立上枠９ａの高さは８０ｃｍで横地・手摺材６ｃはその上端位置に設け、これにより横地材と手摺材の両方の機能を備える。
【００５２】
図１中、２４はアンカーボルト、２５はこのアンカーボルト２４に一端を係止する足場チェーンで、吊り荷重を負担する必須のものではないが、安全性を向上させるために懸架する。図に示す例ではアンカーボルト２４を床版２に打ち込み、この床版２と下横枠９の立上枠９ａの立ち上がり部とを結合し、また、アンカーボルト２４を高欄３の内側面に打ち込み、ここから上横枠７に沿って回すようにした。ただし、これに限定されるものではない。
【００５３】
図中２６は防護養生ネットであり、垂下枠８および下横枠９の内側に敷設したが、外側に張巡らすようにしてもよい。
【００５４】
次に設置法および使用法について説明する。本発明の吊足場４は、高架橋１の補修や点検や清掃を行う場合の足場の確保をするために設置するものであり、側面視略コ字状のフレーム材５の挟持部２９に高架橋１等の高欄３の上端を下側から挿入し、外側垂直側壁３ａへ座板ネジ止めの締め付けネジ１４を押圧して固定する。
【００５５】
その際、壁当て支承梁材１８，１９の先端の座板付き止ネジ２０を外側垂直側壁３ａに当接させ、この壁当て支承梁材１８，１９で側面略コ字状のフレーム材５の回転を阻止し、かつ、荷重を受ける。座板付き止ネジ２０の長さ調節により、垂下枠８の垂直精度を確保する。
【００５６】
このようにして高欄３の外側垂直側壁３ａの連続方向に沿って所定ピッチで側面略コ字状のフレーム材５を並置させ、かつ、横地・手摺材６ａ，６ｂ，６ｃで一体的に連結して組み立てる。
【００５７】
足場板架け渡しブラケット１６と下横枠９とにアルミ足場板１７を敷設し、防護養生ネット２６をセットする。
【００５８】
横地・手摺材６ａ，６ｂ，６ｃにより、作業者はアルミ足場板１７上において安全に作業を行うことが出来る。足場板架け渡しブラケット１６上のアルミ足場板１７への昇降は梯子（図示せず）により行う。
【００５９】
図３に示すように、本発明の足場４の構造的強度は、まず、太径の強度部材でハンガータイプのものである上横枠７で垂下枠８以下を吊り支承することにあり（１）、さらに、この吊り支承は上横枠７の先端の吊り補強部１１により構造的に安定する（２）。
【００６０】
使用材料は、上横枠７を除いて□８０×４０×ｔ２５であり、上横枠７は□１００×５０×ｔ２５である。
2010059632.tif 000003
【００６１】
図３における荷重Ｗ（ａ，ｂ，ｃ，ｄ）は下記の通りである。
2010059632.tif 000004
この表でもわかるように、足場４を吊り支えするのに必要な荷重は、Ｆ２、Ｆ１、Ｆ３であり、Ｆ３の壁当て支承梁材１８から下方は支えられるだけのものである。
【００６２】
このようにして本発明の吊り足場は、挟持部２９と吊り補強部１１と壁当て支承梁材１８の３点支持により、安定した吊り支状態が得れれる。
【図面の簡単な説明】
【００６３】
【図１】本発明の吊足場の鉄道高架橋に仮設された状態の側面図である。
【図２】本発明の吊足場の鉄道高架橋に仮設された状態の正面図である。
【図３】本発明の吊足場の強度説明図である。
【図４】従来例の側面図である。
【図５】図４のＸ線矢視図である。
【図６】他の従来例の側面図である。
【符号の説明】
【００６４】
１…高架橋                    ２…床版
３…高欄                      ３ａ…外側垂直側壁
４…吊足場                    ５…側面視略コ字状のフレーム
６ａ，６ｂ，６ｃ…横地・手摺材
７…上横枠                    ７ａ…垂下片
８…垂下枠                    ９…下横枠
９ａ…立上枠                  １０…補強フレーム
１１…吊り補強部              １２…垂直片部
１３…枠体                    １４…締め付けネジ
１５…プレート板              １６…足場板架け渡しブラケット
１６ａ…支持梁材              １６ｂ…補強枠
１６ｃ…立上片                １７…アルミ足場板
１８，１９…壁当て支承梁材    ２０…座板付き止ネジ
２１…補強部                  ２１ａ…突出片
２１ｂ…補強片                ２２…キャッチクランプ
２３…直交ランプ              ２４…アンカーボルト
２５…足場チェーン            ２６…防護養生ネット
２９…挟持部
【図１】
2010059632.tif 000005
【図２】
2010059632.tif 000006
【図３】
2010059632.tif 000007
【図４】
2010059632.tif 000008
【図５】
2010059632.tif 000009
【図６】
2010059632.tif 000010